(57)【要約】【課題】  装飾具の損傷面積を可及的小範囲に留め、また、装飾具を部分的に入れ替えることによりイメージチェンジすることができるかばん用の装飾具を提供する。【解決手段】  表面に凹所３が形成され、裏面にベルト留め部を設けている本体２と、その凹所３に着脱可能な装飾部材４とからなる装飾具１。凹所３の底面は凹溝５で形成されたデザイン６、７が施され、凹所の周縁の面８に形成されたデザイン９とは異なるている。装飾部材４の裏面は不乾燥糊面１３になっており、かつ平坦面に形成され、表面は周縁に向かって漸次肉薄に形成され、凹所３に装着された状態において、前記本体の表面より突出する。本体２のみでも装飾具１として使用することができる。【選択図】  図１
2015047437.tif 000002
【特許請求の範囲】
【請求項１】
表面に凹所が形成された板状の本体と、その本体の裏面側に設けられている取り付け部とからなり、前記凹所の底面にデザインを一体形成しているかばん用装飾具。
【請求項２】
前記デザインが前記凹所の底面に形成された凹溝からなる請求項１記載のかばん用装飾具。
【請求項３】
表面に凹所が形成された本体と、その本体の凹所に着脱可能な装飾部材とからなるかばん用装飾具。
【請求項４】
凹所の底面にデザインが施されている請求項３記載のかばん用装飾具
【請求項５】
前記デザインが凹溝で形成されている請求項４記載のかばん用装飾具。
【請求項６】
前記デザインが前記凹所の底面の周縁に施されている請求項４または５記載のかばん用装飾具。
【請求項７】
前記装飾部材が可撓性の合成樹脂製である請求項３記載のかばん用装飾具。
【請求項８】
前記装飾部材の厚さが周縁に向かって漸次肉薄に形成され、裏面が平坦面に形成されている請求項３または７記載のかばん用装飾具。
【請求項９】
前記装飾部材の表面が前記本体の表面より突出する請求項３または８記載のかばん用装飾具。
【請求項１０】
前記装飾部材が裏面に不乾燥糊面を設けている請求項３または５記載のかばん用装飾具。
【請求項１１】
前記本体の裏面にランドセルの収納部に設けられたベルトに装着するためのベルト留め部を備えている請求項３、４、５、６、７、８、９または１０記載のかばん用装飾具。
【発明の詳細な説明】
【技術分野】
【０００１】
本発明はかばんに装着するかばん用の装飾具に関する。
【背景技術】
【０００２】
かばんに取り付けられている装飾具は往往にして損傷を受け易い。また、長期間の使用において、デザインを見飽きたりもする（特許文献１）。上記の装飾具を新たな物に交換するにしても手数がかかり、また、元の装飾具の装着跡が残るなどの問題がある。
【先行技術文献】
【特許文献】
【０００３】
【特許文献１】特開２００８−９３０２７
【発明の概要】
【発明が解決しようとする課題】
【０００４】
本発明は、装飾具の損傷面積を可及的小範囲に留めることができるかばん用装飾具を提供することを課題にしている。また、装飾具を部分的に入れ替えて、イメージチェンジを簡単にすることができるかばん用の装飾具を提供することを課題にしている。
【課題を解決するための手段】
【０００５】
本発明のかばん用装飾具（請求項１）は、表面に凹所が形成された板状の本体と、その本体の裏面側に設けられている取り付け部とからなり、前記凹所の底面にデザインを一体形成していることを特徴としている。
【０００６】
前記デザインは、前記凹所の底面に形成された凹溝からなるのが好ましい（請求項２）。
【０００７】
本発明のかばん用装飾具（請求項３）は、表面に凹所が形成された本体と、その本体の凹所に着脱可能な装飾部材とからなることを特徴としている。
【０００８】
凹所の底面は、デザインが施されているのが好ましい（請求項４）
【０００９】
前記デザインは、凹溝で形成されているのが好ましい（請求項５）。
【００１０】
前記凹溝は、前記凹所の底面の周縁に施されているのが好ましい（請求項６）。  
【００１１】
前記装飾部材は、可撓性の合成樹脂製のものが好ましい（請求項７）。
【００１２】
前記装飾部材は、厚さが周縁に向かって漸次肉薄に形成され、裏面が平坦面に形成されているものがさらに好ましい（請求項８）。
【００１３】
前記装飾部材は、表面が前記本体の表面より突出するものが一層好ましい（請求項９）。
【００１４】
前記装飾部材は、裏面に不乾燥糊面を設けているものが好ましい（請求項１０）。
【００１５】
前記本体の裏面は、ランドセルの収納部に設けられたベルトに装着するためのベルト留め部を備えているのが好ましい（請求項１１）。
【発明の効果】
【００１６】
本発明のかばん用装飾具（請求項１）は、装飾具表面側から向かってくる衝撃物や当接物が凹所を囲繞する面、また、凹所の縁高の上端に当たり易くなっている。また、凹所の底面には当たり難くなっている。そのため、凹所および凹所の底面に一体形成されているデザインは衝撃物などによる損傷が防止されている。したがって、本発明の装飾具は、損傷面積を可及的小範囲に留めることができる。
【００１７】
前記デザインが、前記凹所の底面に形成された凹溝からなる場合（請求項２）、凹溝は衝撃物などによる損傷が防止可能になっている。したがって、凹所の底面に形成されたデザインは損傷され難く、また、原状を維持することができる。
【００１８】
本発明のかばん用装飾具（請求項３）は、装飾部材が着脱可能になっている。そのため、装飾具の表面が損傷した場合、損傷した装飾部材を新たな装飾部材に入れ替えることによって、装飾具の損傷面積は可及的小範囲に留めることができる。また、装飾具は、装飾部材は入れ替えることによって、イメージチェンジが簡単にできる。
【００１９】
凹所の底面にデザインが施されている場合（請求項４）、このデザインは、装飾部材を取り外すことによって表出可能になっている。したがって、装飾部材の着脱によってデザインの異なる装飾具を提供することができる。
【００２０】
前記デザインが凹溝で形成されている場合（請求項５）、装飾部材は凹溝を被覆するので、当該凹溝への接着は防止されている。したがって、装飾部材は凹所の凹溝以外に面接着するので、取り外しが容易になっている。
【００２１】
前記デザインが前記凹所の底面の周縁に施されている場合（請求項６）、凹所の底面の周縁に接着される装飾部材の周縁、または、周縁の周辺は凹溝以外に面接着する。したがって、装飾部材の周縁は凹所からの取り外しが容易になっているので、装飾部材は凹所からの取り出しがさらに容易になっている。
【００２２】
前記装飾部材が可撓性の合成樹脂製である場合（請求項７）、装飾部材は取り外し方向への反転が可能になっているので、凹所からの取り外しがより容易になっている。
【００２３】
前記装飾部材の厚さが周縁に向かって漸次肉薄に形成され、裏面が平坦面に形成されている場合（請求項８）、装飾部材の表面の周縁周辺は物が引っかかり難い。したがって、装飾部材は抜け出るのが防止される。
【００２４】
前記装飾部材の表面が前記本体の表面より突出する場合（請求項９）、本体の表面側からの衝撃は装飾部材が受圧するので、本体は損傷が防止される。
【００２５】
前記装飾部材が裏面に不乾燥糊面を設けている場合（請求項１０）、装飾部材は凹所の着脱が容易である。さらに凹所に凹溝が設けられている場合、装飾部材は凹溝への接着がより確実に防止されている。したがって装飾部材は凹所からの取り外しがさらに容易になっている。
【００２６】
前記本体の裏面にランドセルの収納部に設けられたベルトに装着するためのベルト留め部を備えている場合（請求項１１）、このかばん用装飾具はバックルの実用性を有している。したがって、前記作用効果はランドセルの装飾性のあるバックルとしても同じ効果を奏成する。
【図面の簡単な説明】
【００２７】
【図１】図１ａは本発明の装飾具の一実施形態を示す正面図、図１ｂは装飾部材の着脱状態を示す正面図である。
【図２】図２は図１のＡＡ線拡大断面図である。
【図３】図３ａは図１の本体の正面図、図３ｂは同装飾部材の正面図である。
【図４】図４は図１の本体の背面図である。
【図５】図５aはランドセルの装飾具の実施形態を示す斜視図、図５ｂは装飾具の拡大断面図である。
【発明を実施するための形態】
【００２８】
次に図面を参照しながら本発明の実施形態を説明する。図１ａおよび図１ｂは本発明の装飾具１を示している。この装飾具１は本体２と、その本体に着脱可能な装飾部材４とからなっている。
【００２９】
本体２は板状の金属製が好ましいが、硬質の合成樹脂製であってもよい。本体２はプレス成型やダイキャストなどによって作ることができる。本体２の表面形状は略長方形状で、表面中央に略長方形状の凹所３が形成されている。凹所３の深さは図２に示すように装飾部材４の周縁が埋まる程度の深さ、また、装飾部材４の表面の中央部が突き出る程度の深さになっている。なお、突き出なくてもよい
【００３０】
凹所３の底面は、図２および図３ａに示すように、凹溝５によって形成されたデザイン６が全面に施されている。さらに、周縁には凹溝５を連続形成してなるデザイン７が施されている。凹溝５の幅は図示のように極細の線状のものから比較的幅広のものまで、デザイン形成をするうえで適宜、選択することができる。凹溝は浅い溝が好ましいが深い溝であってもよい。凹所３の底面に平坦面の物を重ねると、その物の下方には凹溝５が部分的に存在するので、その物は凹所３の底面に全面密着することはない。また、凹所への接着状態においては、凹溝以外に接着するので、全面接着ではなく部分接着になる。デザイン６は上記のとおり、凹所３の底面の全面に施されるものが好ましいが、部分的であってもよい。また、デザイン７は凹所の周縁全体に施されるものが好ましいが、部分的であってもよいし、また、無くてもよい。
【００３１】
図３ａに示すように、凹所３を囲繞する面、つまり本体の周縁の面には突起８を形成してなるデザイン９が施されており、また、凹所３とは異なるイメージのデザインが施されている。そのため、凹所３と凹所３を囲繞する面はメリハリがついて双方の境界が明確になる。また、凹所３の段差も強調される。したがって、本体２の表面は立体感のある外観を呈する。特に、凹所３の底面の周縁に上記凹溝５による連続模様のデザイン７が施されているものは凹所３の形状がより強調されるので、本体２表面はより立体感のある外観を呈する。また、このような本体２は、洒落た外観を呈するので、本体２のみでも装飾具として使用することができる（図５ａ参照）。なお、凹所のデザイン６、７、また、周縁の面のデザイン９は無くてもよい。
【００３２】
本体２の裏面の左右には、図２および図４に示すようにかばんのベルトや提げ手などが挿入可能な留め部１０が各々設けられている。留め部１０は裏面にＬ字状の金属片１１を上下に対設させてベルトの挿通部を形成している。留め部１０は左右に設けるのが好ましいが、中央に一つだけ設けてもよい。図５に示すように、本体２はベルトや提げ手などに留め部１０を挿通させて、かばんへ装着するのを可能にしている。なお、留め部１０は、本体が取り外せるように、例えば裏面に針を設けてその針を被装着物の裏面側より挟持するもの、安全ピン式のピン止めのもの、ネジ止め式のもの、また、取り外せないようにかしめ式のものなどでもよく、上記留め部材に限るものではない。
【００３３】
装飾部材４は、本体２がかばんに装着されている状態においても、本体への着脱が可能となっている。図２および図３ｂに示すように、表面に文字、図柄（図示外）などのデザイン１２が印刷され、裏面に不乾燥糊面１３を有する可撓性のベース材１４と、このベース材１４の表面に全面密着している可撓性、かつ、透光性の合成樹脂製のカバー体１５とからなっている。カバー体１５は、厚さが周縁に向かって漸次肉薄に形成され、また、表面の周辺が周縁より漸次凸状に湾曲形成されている。不乾燥糊面１３は通常、剥離紙で覆われて保護されているので、凹所３に接着する前に剥離紙を取り外して使用する。剥離紙が外された不乾燥糊面１３はほぼ平坦面になっている。なお、ベース材１４のデザイン１２を省略することは可能である。この場合、カバー体１５の表面または内部に装飾を施してもよい。また、ベース材１２が透視可能になっているものは、凹所３のデザイン６、７がカバー体１５を通して外見されるので、本体２は、カバー体１５に施した装飾と凹所３のデザイン６、７のコラボレーションとによって奥ゆきのある装飾効果を奏成することができる。
【００３４】
装飾部材４は、図１ａ、図１ｂおよび図２に示すように、底縁が凹所３にほぼ嵌る形状になっている。また、凹所３に嵌めて接着させた状態において、装飾部材の中央が凹所３より突出する程の高さになっている。また、装飾部材４の底縁の周囲は凹所３との間に断面が略Ｖ字状の凹溝１６が形成されている。凹溝１６には先細の物などが挿入可能になっている。そのため、装飾部材４は底面の周縁を縫い針や千枚通しなどの先細の物で引き上げることによって、凹所からの取り出しが可能になっている。
【００３５】
装飾部材４は、剥離紙を外して凹所３の底面に接着させるが、装飾部材４は、カバー体１５が柔軟なので、図１ｂに示すように長手方向を反らせながら凹所３の隅へ正しく嵌めることができる。接着状態における装飾部材４の底面、つまり不乾燥糊面１３は、図２に示すように凹所３に接着しているが凹溝５に接着するのは防止されているので全面接着にはなっていない。つまり部分接着になっている。したがって装飾部材４は、凹所３に適度な強度で接着されると共に適度な強度で取り外すことができる。つまり、装飾部材４は凹所３に対する確かな接着と軽快な脱抜とを実現している。
【００３６】
また、装飾部材４の底部は、図１ａおよび図２に示すように凹所３の周壁に取り囲まれているので、接触し難くなっている。したがって、装飾部材４は凹所３における接着状態が非常に安定しているので、凹所３から剥がれたり、また、剥がれ落ちたりするのが防止されている。一方、装飾部材４を凹所３より取り外す時は、装飾部材４の周縁の下面全体が部分接着になっているので、周縁のどこからでも底部を引き上げるのが容易になっている。また、装飾部材４は、図１ｂに示す長手方向に反らせながら凹所より取り出すことが容易になっている。したがって、装飾部材の取り外しは軽快に行えるので、他の装飾部材への交換が軽快に行える。
【００３７】
装飾部材４は図１ａに示すように、表面が平滑な面に形成されているので、凹所を囲繞する面とは異なるイメージになっている。さらに、本体の周縁の面８よりも突出している。そのため、目立って外見される。したがって装飾部材が文字によるシンプルな装飾性のものであっても、装飾部材は周囲の装飾性を有する本体によって非常にお洒落なイメージを感受させる。このように本体２に装飾部材４が装着された装飾具１は、前記本体２のみによる装飾具とは異なるイメージの外観を呈する。さらに装飾部材を交換することによって、様々なイメージを呈することができる。
【００３８】
図５ａおよび図５ｂに示すベルトに取り付けられているかばん用装飾具１は、ランドセル２０の両サイドから延びる左右のベルト２１が留め部１０にそれぞれ挿入されている。また、左右のベルト２１を連結可能にしている。また、左右のベルト２１の各端部を不外見にしている。このように装飾具１は、バックルとしての実用性も兼ねている。装飾部材
４は図５ｂに示すように、本体２より突出しているので損傷し易いが、新たなものの交換が容易になっている。また、本体２は装飾部材４によって損傷が防止されている。したがって、このバックル兼用の装飾具は長期の使用においても美観を保持することができる。また、装飾部材４を入れ替えることによりいろいろなデザインを楽しむことができる。
【００３９】
前記図３ａについては、前記本発明の本体を表しているが、本発明の第二の態様の装飾具２２（図５ａの側襠の本体２を参照）のものも示している。この装飾具２２は、図１ａの本体２そのものであって、同じ構成になっている。この本体２の表面は前記の通り、立体感のある外観を呈し、また、洒落た外観を呈している。また、凹所の底面は損傷され難い。したがって、例えば図５ａの側襠に設けられた装飾具２２は位置的には損傷を受け易いが、可及的小範囲に留めることができる。なお、この装飾具についても、図３ｂに示す装飾部材を凹所に着脱可能にしている。したがって装飾具は装飾部材を取り換えることによってイメージチャンジが簡単にできる。
【符号の説明】
【００４０】
１  装飾具
２  本体（第二態様の装飾具）
３  凹所
４  装飾部材
５  凹溝
６  デザイン
７  デザイン
８  周縁の面
９  デザイン
１０  留め部材
１１  Ｌ型部材
１２  デザイン
１３  不乾燥糊面
１４  ベース材
１５  カバー体
１６  凹溝
２０  ランドセル
２１  ベルト
２２  装飾具  
【図１】
2015047437.tif 000003
【図２】
2015047437.tif 000004
【図３】
2015047437.tif 000005
【図４】
2015047437.tif 000006
【図５】
2015047437.tif 000007